(57)【要約】【課題】  記録媒体の原本がなければ記録情報にアクセスすることができないようにすることでセキュリティを高めることのできる情報管理システム等を提供する。【解決手段】  記録媒体に記録された読み込みは可能であるが書き込みは不可能な固有情報に基づいて暗号化および復号化に用いる鍵の生成を行う手段と、上記記憶媒体に上記鍵の一部を書き込む手段と、暗号化された記録情報が書き込まれた上記記録媒体から上記鍵の一部および上記記録情報を読み込み、自己の管理下にある上記鍵の他の一部を更に用いて上記記録情報を復号化する手段とを備える。【選択図】  図１
2006073154.tif 000002
【特許請求の範囲】
【請求項１】
記録媒体に記録された読み込みは可能であるが書き込みは不可能な固有情報に基づいて暗号化および復号化に用いる鍵の生成を行う手段と、
上記記憶媒体に上記鍵の一部を書き込む手段と、
暗号化された記録情報が書き込まれた上記記録媒体から上記鍵の一部および上記記録情報を読み込み、自己の管理下にある上記鍵の他の一部を更に用いて上記記録情報を復号化する手段とを備えたことを特徴とする情報管理システム。
【請求項２】
読み込みは可能であるが書き込みは不可能な固有情報が記録された記録媒体から上記固有情報を読み込む手段と、
上記固有情報および管理者の入力した任意情報に基づいて公開鍵ならびに第１および第２の秘密鍵を生成する手段と、
上記記憶媒体に上記第１の秘密鍵を書き込む手段と、
上記公開鍵により暗号化された記録情報が書き込まれた上記記録媒体から上記第１の秘密鍵および上記記録情報を読み込み、自己の管理下にある上記第２の秘密鍵を更に用いて上記記録情報を復号化する手段とを備えたことを特徴とする請求項１に記載の情報管理システム。
【請求項３】
上記固有情報は上記記憶媒体の製造時に記録されることを特徴とする請求項１または２のいずれか一項に記載の情報管理システム。
【請求項４】
上記記録媒体はコンパクトディスクであり、
上記固有情報は上記コンパクトディスクの溝情報の一部として記録されることを特徴とする請求項１乃至３のいずれか一項に記載の情報管理システム。
【請求項５】
上記固有情報は上記溝情報に含まれるリードインのスタートタイムを含むことを特徴とする請求項４に記載の情報管理システム。
【請求項６】
上記固有情報は上記記録媒体の規格外の部分に記録されることを特徴とする請求項１乃至３のいずれか一項に記載の情報管理システム。
【請求項７】
上記記録媒体はコンパクトディスクであり、
上記規格外の部分は最内周部であることを特徴とする請求項６に記載の情報管理システム。
【請求項８】
上記記録媒体は読み込み専用領域と書き込み可能領域とを有することを特徴とする請求項１乃至７のいずれか一項に記載の情報管理システム。
【請求項９】
上記読み込み専用領域には上記記録情報の書き込みおよび読み込みを制御するプログラムおよび鍵発行のプログラムが記録されていることを特徴とする請求項８に記載の情報管理システム。
【請求項１０】
上記固有情報は上記読み込み専用領域の一部に記録されることを特徴とする請求項８または９のいずれか一項に記載の情報管理システム。
【請求項１１】
上記公開鍵は可搬型のメモリデバイスに格納されることを特徴とする請求項２に記載の情報管理システム。
【請求項１２】
上記第２の秘密鍵は可搬型のメモリデバイスに格納されることを特徴とする請求項２に記載の情報管理システム。
【請求項１３】
記録媒体に記録された読み込みは可能であるが書き込みは不可能な固有情報に基づいて暗号化および復号化に用いる鍵の生成を行う工程と、
上記記憶媒体に上記鍵の一部を書き込む工程と、
暗号化された記録情報が書き込まれた上記記録媒体から上記鍵の一部および上記記録情報を読み込み、自己の管理下にある上記鍵の他の一部を更に用いて上記記録情報を復号化する工程とを備えたことを特徴とする情報管理方法。
【請求項１４】
読み込みは可能であるが書き込みは不可能な固有情報が記録された記録媒体から上記固有情報を読み込む工程と、
上記固有情報および管理者の入力した任意情報に基づいて公開鍵ならびに第１および第２の秘密鍵を生成する工程と、
上記記憶媒体に上記第１の秘密鍵を書き込む工程と、
上記公開鍵により暗号化された記録情報が書き込まれた上記記録媒体から上記第１の秘密鍵および上記記録情報を読み込み、自己の管理下にある上記第２の秘密鍵を更に用いて上記記録情報を復号化する工程とを備えたことを特徴とする請求項１３に記載の情報管理方法。
【請求項１５】
読み込みは可能であるが書き込みは不可能な固有情報と、
上記固有情報に基づいて生成される鍵の一部と、
暗号化された記録情報とが書き込まれていることを特徴とする記録媒体。
【請求項１６】
読み込みは可能であるが書き込みは不可能な固有情報と、
上記固有情報および管理者の入力した任意情報に基づいて生成される公開鍵ならびに第１および第２の秘密鍵のうちの上記第１の秘密鍵と、
上記公開鍵により暗号化された記録情報とが書き込まれていることを特徴とする請求項１５に記載の記録媒体。
【請求項１７】
記録媒体に記録された読み込みは可能であるが書き込みは不可能な固有情報に基づいて暗号化および復号化に用いる鍵の生成を行う機能と、
上記記憶媒体に上記鍵の一部を書き込む機能と、
暗号化された記録情報が書き込まれた上記記録媒体から上記鍵の一部および上記記録情報を読み込み、自己の管理下にある上記鍵の他の一部を更に用いて上記記録情報を復号化する機能とをコンピュータ実現させることを特徴とする情報管理プログラム。
【請求項１８】
読み込みは可能であるが書き込みは不可能な固有情報が記録された記録媒体から上記固有情報を読み込む機能と、
上記固有情報および管理者の入力した任意情報に基づいて公開鍵ならびに第１および第２の秘密鍵を生成する機能と、
上記記憶媒体に上記第１の秘密鍵を書き込む機能と、
上記公開鍵により暗号化された記録情報が書き込まれた上記記録媒体から上記第１の秘密鍵および上記記録情報を読み込み、自己の管理下にある上記第２の秘密鍵を更に用いて上記記録情報を復号化する機能とをコンピュータ実現させることを特徴とする請求項１７に記載の情報管理プログラム。
【発明の詳細な説明】
【技術分野】
【０００１】
本発明は情報管理システム、情報管理方法、記録媒体、および、情報管理プログラムに関する。
【背景技術】
【０００２】
近年、文書や画像等を電子化した電子ファイルをＣＤ（Compact Disk）等の記録媒体に格納し、納品先に郵送または配送する電子納品が行われている。このような電子納品において、いわゆる機密情報を電子納品する場合には、高度な機密性を担保するセキュリティ対策を施さなければならない。
【０００３】
高度な機密性を担保するセキュリティ対策として、例えば、正当なユーザの光ディスクドライブのＩＤを光ディスク上に記録し、このＩＤと現在使用中の光ディスクドライブのＩＤとを比較し、これらが一致する場合に光ディスクに記録されているプログラムを起動する方法が提案されている（例えば、特許文献１を参照。）。
【特許文献１】特開２０００−１２３４７９号公報
【発明の開示】
【発明が解決しようとする課題】
【０００４】
上述した特許文献１に開示される技術によれば、暗証番号等が他者に知られても記録媒体の不正使用を防止することができるが、記録媒体に記録された機密情報を閲覧等する場合には対応した再生装置（光ディスクドライブ）を使用しなければならず、利便性に欠けるという問題があった。
【０００５】
そのため、かかる再生装置の限定を行わず、記録情報の暗号化とその鍵の管理方法を工夫することでセキュリティを維持する試みがされているが、十分なものではなかった。
【０００６】
例えば、不正行為のパターンの一つとして、記録媒体を保有する組織の一員が、正当な使用権限がないにもかかわらず人知れず記録媒体の複製を作成し、その複製を第三者に引き渡すということが考えられ、更に、復号化の鍵についても不正に入手し、記録媒体の複製とともに引き渡すことが考えられる。この場合、物理的な記録媒体が元のまま残っているため、不正が行われたことが発見しにくい。そして、複製を不正に入手した第三者は、鍵についても入手できた場合には即座に、また、鍵が入手できなかった場合であっても種々のアタック手法により早晩に、記録された機密情報の取得が可能になる。
【０００７】
本発明は上記の従来の問題点に鑑み提案されたものであり、その目的とするところは、記録媒体の原本がなければ記録情報にアクセスすることができないようにすることでセキュリティを高めることのできる情報管理システム、情報管理方法、記録媒体、および、情報管理プログラムを提供することにある。
【課題を解決するための手段】
【０００８】
上記の課題を解決するため、本発明にあっては、請求項１に記載されるように、記録媒体に記録された読み込みは可能であるが書き込みは不可能な固有情報に基づいて暗号化および復号化に用いる鍵の生成を行う手段と、上記記憶媒体に上記鍵の一部を書き込む手段と、暗号化された記録情報が書き込まれた上記記録媒体から上記鍵の一部および上記記録情報を読み込み、自己の管理下にある上記鍵の他の一部を更に用いて上記記録情報を復号化する手段とを備えることを特徴とする情報管理システムを要旨としている。
【０００９】
また、請求項２に記載されるように、読み込みは可能であるが書き込みは不可能な固有情報が記録された記録媒体から上記固有情報を読み込む手段と、上記固有情報および管理者の入力した任意情報に基づいて公開鍵ならびに第１および第２の秘密鍵を生成する手段と、上記記憶媒体に上記第１の秘密鍵を書き込む手段と、上記公開鍵により暗号化された記録情報が書き込まれた上記記録媒体から上記第１の秘密鍵および上記記録情報を読み込み、自己の管理下にある上記第２の秘密鍵を更に用いて上記記録情報を復号化する手段とを備えるようにすることができる。
【００１０】
また、請求項３に記載されるように、上記固有情報は上記記憶媒体の製造時に記録されるものとすることができる。
【００１１】
また、請求項４に記載されるように、上記記録媒体はコンパクトディスクであり、上記固有情報は上記コンパクトディスクの溝情報の一部として記録されるものとすることができる。
【００１２】
また、請求項５に記載されるように、上記固有情報は上記溝情報に含まれるリードインのスタートタイムを含むものとすることができる。
【００１３】
また、請求項６に記載されるように、上記固有情報は上記記録媒体の規格外の部分に記録されるものとすることができる。
【００１４】
また、請求項７に記載されるように、上記記録媒体はコンパクトディスクであり、上記規格外の部分は最内周部であるものとすることができる。
【００１５】
また、請求項８に記載されるように、上記記録媒体は読み込み専用領域と書き込み可能領域とを有するものとすることができる。
【００１６】
また、請求項９に記載されるように、上記読み込み専用領域には上記記録情報の書き込みおよび読み込みを制御するプログラムおよび鍵発行のプログラムが記録されているものとすることができる。
【００１７】
また、請求項１０に記載されるように、上記固有情報は上記読み込み専用領域の一部に記録されるものとすることができる。
【００１８】
また、請求項１１に記載されるように、上記公開鍵は可搬型のメモリデバイスに格納されるものとすることができる。
【００１９】
また、請求項１２に記載されるように、上記第２の秘密鍵は可搬型のメモリデバイスに格納されるものとすることができる。
【００２０】
また、請求項１３に記載されるように、記録媒体に記録された読み込みは可能であるが書き込みは不可能な固有情報に基づいて暗号化および復号化に用いる鍵の生成を行う工程と、上記記憶媒体に上記鍵の一部を書き込む工程と、暗号化された記録情報が書き込まれた上記記録媒体から上記鍵の一部および上記記録情報を読み込み、自己の管理下にある上記鍵の他の一部を更に用いて上記記録情報を復号化する工程とを備える情報管理方法として構成することができる。
【００２１】
また、請求項１４に記載されるように、読み込みは可能であるが書き込みは不可能な固有情報が記録された記録媒体から上記固有情報を読み込む工程と、上記固有情報および管理者の入力した任意情報に基づいて公開鍵ならびに第１および第２の秘密鍵を生成する工程と、上記記憶媒体に上記第１の秘密鍵を書き込む工程と、上記公開鍵により暗号化された記録情報が書き込まれた上記記録媒体から上記第１の秘密鍵および上記記録情報を読み込み、自己の管理下にある上記第２の秘密鍵を更に用いて上記記録情報を復号化する工程とを備える情報管理方法として構成することができる。
【００２２】
また、請求項１５に記載されるように、読み込みは可能であるが書き込みは不可能な固有情報と、上記固有情報に基づいて生成される鍵の一部と、暗号化された記録情報とが書き込まれている記録媒体として構成することができる。
【００２３】
また、請求項１６に記載されるように、読み込みは可能であるが書き込みは不可能な固有情報と、上記固有情報および管理者の入力した任意情報に基づいて生成される公開鍵ならびに第１および第２の秘密鍵のうちの上記第１の秘密鍵と、上記公開鍵により暗号化された記録情報とが書き込まれている記録媒体として構成することができる。
【００２４】
また、請求項１７に記載されるように、記録媒体に記録された読み込みは可能であるが書き込みは不可能な固有情報に基づいて暗号化および復号化に用いる鍵の生成を行う機能と、上記記憶媒体に上記鍵の一部を書き込む機能と、暗号化された記録情報が書き込まれた上記記録媒体から上記鍵の一部および上記記録情報を読み込み、自己の管理下にある上記鍵の他の一部を更に用いて上記記録情報を復号化する機能とをコンピュータ実現させる情報管理プログラムとして構成することができる。
【００２５】
また、請求項１８に記載されるように、読み込みは可能であるが書き込みは不可能な固有情報が記録された記録媒体から上記固有情報を読み込む機能と、上記固有情報および管理者の入力した任意情報に基づいて公開鍵ならびに第１および第２の秘密鍵を生成する機能と、上記記憶媒体に上記第１の秘密鍵を書き込む機能と、上記公開鍵により暗号化された記録情報が書き込まれた上記記録媒体から上記第１の秘密鍵および上記記録情報を読み込み、自己の管理下にある上記第２の秘密鍵を更に用いて上記記録情報を復号化する機能とをコンピュータ実現させる情報管理プログラムとして構成することができる。
【発明の効果】
【００２６】
本発明の情報管理システム、情報管理方法、記録媒体、および、情報管理プログラムにあっては、記録媒体に記録された読み込みは可能であるが書き込みは不可能な固有情報に基づいてアクセスの制御を行うため、記録媒体の原本がなければ記録情報にアクセスすることができず、セキュリティを高めることができる。
【発明を実施するための最良の形態】
【００２７】
以下、本発明の好適な実施形態につき図面を参照して説明する。
【００２８】
図１は本発明の一実施形態にかかる情報管理システムの構成図である。
【００２９】
図１において、媒体製造業者１はスタンパ１１を用い、読み込みは可能であるが書き込みは不可能な固有情報の記録された記録媒体１２を製造し、発注者２に情報書込みのための情報エリアがブランクの状態で納入を行うものである。
【００３０】
図２は記録媒体１２をハイブリッド型のコンパクトディスクとした場合の構成図であり、記録媒体１２への書き込みおよび読み込みを制御するプログラム（制御プログラム）および鍵発行のためのプログラム（鍵発行プログラム）が記録された読み込み専用領域１２１と、後述する情報納入業者３が電子納品する情報を書き込む書き込み可能領域１２２とを有している。なお、記録媒体１２内に制御プログラムおよび鍵発行プログラムを予め記録しておくのは、ソフトウェアの環境依存（所定のプログラムがないために使用できない等の不都合）をなくすためである。
【００３１】
また、記録媒体１２には、専用のディスクドライブでしか読み込みおよび書き込みの行えない最内周規格外部１２３が設けられている。なお、最内周規格外部１２３を利用することで、通常のディスクドライブのメカニズムに従ってコンパクトディスクの内側から読み込みを開始する際のピックアップの移動距離を少なくすることができる利点もある。また、記録媒体１２の最外周部にも規格外の部分が存在するが、規格外の部分が少ないとともに、記録媒体の機械的特性の影響を受けやすいため好ましくない。
【００３２】
図３は記録媒体１２の論理構成図であり、最内周規格外部１２３には製造時に固有情報が記録可能であるとともに、後に発注者２によって秘密鍵を記録することが可能となっている。また、読み込み専用領域１２１には前述した制御プログラムおよび鍵発行プログラムが格納されるとともに、製造時に固有情報を記録することが可能になっている。更に、書き込み可能領域１２２は、書き込みテストの拡張領域であるエクステンドエリアと、書き込みテストのための領域であるパワーキャリブレーションエリアと、当該メディア（記録媒体）の制御情報の記録されるプログラマブルメモリエリアと、情報を記録する情報エリアの前に設けられるリードインと、情報を記録する情報エリアと、情報エリアの後に設けられるリードアウトとを有している。なお、情報エリアの一部に発注者２によって秘密鍵を記録することも可能である。
【００３３】
図４はコンパクトディスクの溝情報の論理構成図であり、ウォブルと呼ばれる溝の周期的なうねりの中に情報が入っており、このうねりは正確に規定され、スタンパにより製造される際に規定される物理的情報である。この溝情報の中には、図３に示したリードインのスタートタイム（リードインの先頭と情報エリアの先頭との時間差）が記録されており、記録媒体の固有情報として利用することができる。なお、溝情報の検知にあたっては、一般に流通しているディスクドライブにおけるウォブル検知の仕組を利用することで、安価に構成することができる。
【００３４】
図１に戻り、発注者２には、媒体製造業者１より納入された記録媒体１２から暗号化および復号化のための鍵を生成し、その一部を記録媒体１２に書き込むための管理者機器２１と、鍵の一部を記憶するための情報納入業者用のメモリデバイス２２と利用者用のメモリデバイス２３とが設けられている。
【００３５】
管理者機器２１には、記録媒体１２から固有情報を読み込む固有情報読込部２１１と、読み込んだ固有情報および管理者の入力した任意情報に基づいて公開鍵ならびに第１および第２の秘密鍵を生成する鍵生成部２１２と、生成した鍵のうちの第１秘密鍵を記録媒体１２に書き込む第１秘密鍵書込部２１３と、生成した鍵のうちの公開鍵を情報納入業者用のメモリデバイス２２に書き込む公開鍵出力部２１４と、生成した鍵のうちの第２秘密鍵を利用者用のメモリデバイス２３に書き込む第２秘密鍵出力部２１５とが設けられている。
【００３６】
そして、鍵の一部が書き込まれた記録媒体１２は公開鍵が書き込まれた情報納入業者用のメモリデバイス２２とともに情報納入業者３に提供され、第２秘密鍵が書き込まれた利用者用のメモリデバイス２３は所定の利用者に配布される。
【００３７】
情報納入業者３には、発注者２から提供された記録媒体１２に対し電子納品の対象となる記録情報を暗号化して書き込む業者機器３１が設けられている。業者機器３１には、情報納入業者用のメモリデバイス２２から公開鍵を読み込む公開鍵読込部３１１と、読み込んだ公開鍵および必要に応じて他の情報に基づいて記録情報の暗号化を行う暗号化部３１２と、暗号化された記録情報を記録媒体１２に書き込む情報書込部３１３とが設けられている。そして、記録情報が書き込まれた記録媒体１２は発注者２に納品（電子納品）される。
【００３８】
一方、発注者２には記録媒体１２から記録情報を閲覧等するための利用者機器２４が設けられている。利用者機器２４には、記録媒体１２から第１秘密鍵および暗号化された記録情報を読み込む情報読込部２４１と、利用者用のメモリデバイス２３から第２秘密鍵を読み込む第２秘密鍵読込部２４２と、これらの鍵に基づき、暗号化された記録情報を復号化する復号化部２４３とが設けられている。
【００３９】
図５は管理者機器２１、利用者機器２４、業者機器３１の一般的な構成図であり、機器全体の制御を行う制御部ａと、キーボード・マウス等の入力部ｂと、モニタの如き表示部ｃと、メモリおよびハードディスク装置等の記憶部ｄと、インタフェースｅを介して制御部ａに接続されるディスクドライブｆと、インタフェースｇを介して制御部ａに接続されるＵＳＢ部ｈとを備えている。なお、各機器２１、２４、２３において記録媒体１２の規格外部分の情報を読み書きする場合にあっては、ディスクドライブｆとして専用のものが必要になる。
【００４０】
以下、上記の実施形態の動作を説明する。
【００４１】
図６は管理者機器２１における処理を示すフローチャートである。
【００４２】
図６において、媒体製造業者１から読み込みは可能であるが書き込みは不可能な固有情報の記録された記録媒体１２が納入された後、管理者機器２１では、固有情報読込部２１１により記録媒体１２から固有情報を読み込む（ステップＳ１）。
【００４３】
次いで、読み込んだ固有情報および管理者の入力した任意情報に基づいて、鍵生成部２１２により公開鍵ならびに第１および第２の秘密鍵を生成する（ステップＳ２）。
【００４４】
そして、生成した鍵のうちの第１秘密鍵を第１秘密鍵書込部２１３により記録媒体１２に書き込む（ステップＳ３）。
【００４５】
また、生成した鍵のうちの公開鍵を公開鍵出力部２１４により情報納入業者用のメモリデバイス２２に書き込む（ステップＳ４）。
【００４６】
また、生成した鍵のうちの第２秘密鍵を第２秘密鍵出力部２１５により利用者用のメモリデバイス２３に書き込む（ステップＳ５）。
【００４７】
次に、図７は業者機器３１における処理を示すフローチャートである。
【００４８】
図７において、発注者２から記録媒体１２の提供を受けた情報納入業者３は、業者機器３１において、公開鍵読込部３１１により情報納入業者用のメモリデバイス２２から公開鍵を読み込む（ステップＳ１１）。更に、必要に応じて記録媒体１２から固有情報を読み込む。
【００４９】
次いで、読み込んだ公開鍵および必要に応じて固有情報に基づき、暗号化部３１２により記録情報の暗号化を行う（ステップＳ１２）。この際、公開鍵により直接に記録情報を暗号化するのではなく、共通鍵で記録情報の暗号化を行い、暗号化に用いた共通鍵を公開鍵により暗号化して記録情報に添付等することにより、復号化に際しての処理を高速化することができる。
【００５０】
そして、暗号化された記録情報を情報書込部３１３により記録媒体１２に書き込む（ステップＳ１３）。
【００５１】
次に、図８は利用者機器２４における処理を示すフローチャートである。
【００５２】
図８において、情報納入業者３から記録媒体１２の電子納品を受けた発注者２では、利用者による記録情報の閲覧等に際し、利用者機器２４において、記録媒体１２から第１秘密鍵、暗号化された記録情報、更に必要に応じて固有情報を情報読込部２４１により読み込む（ステップＳ２１）。
【００５３】
次いで、第２秘密鍵読込部２４２により利用者用のメモリデバイス２３から第２秘密鍵を読み込む（ステップＳ２２）。
【００５４】
そして、これらの鍵等に基づき、暗号化された記録情報を復号化部２４３により復号化する（ステップＳ２３）。
【００５５】
この場合、秘密鍵が記録された利用者用のメモリデバイス２３がなければ記録情報の閲覧ができないとともに、記録媒体１２の原本からでなくては記録情報の閲覧ができないため、記録媒体１２の複製が不正に流出すること等による機密情報の漏洩のおそれはなくなり、極めて高いセキュリティを保つことができる。
【００５６】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００５７】
【図１】本発明の一実施形態にかかる情報管理システムの構成図である。
【図２】記録媒体の構成図である。
【図３】記録媒体の論理構成図である。
【図４】コンパクトディスクの溝情報の論理構成図である。
【図５】機器の構成図である。
【図６】管理者機器における処理を示すフローチャートである。
【図７】業者機器における処理を示すフローチャートである。
【図８】利用者機器における処理を示すフローチャートである。
【符号の説明】
【００５８】
１            媒体製造業者
１１          スタンパ
１２          記録媒体
１２１        読み込み専用領域
１２２        書き込み可能領域
１２３        最内周規格外部
２            発注者
２１          管理者機器
２１１        固有情報読込部
２１２        鍵生成部
２１３        第１秘密鍵書込部
２１４        公開鍵出力部
２１５        第２秘密鍵出力部
２２、２３    メモリデバイス
２４          利用者機器
２４１        情報読込部
２４２        第２秘密鍵読込部
２４３        復号化部
３            情報納入業者
３１          業者機器
３１１        公開鍵読込部
３１２        暗号化部
３１３        情報書込部
【図１】
2006073154.tif 000003
【図２】
2006073154.tif 000004
【図３】
2006073154.tif 000005
【図４】
2006073154.tif 000006
【図５】
2006073154.tif 000007
【図６】
2006073154.tif 000008
【図７】
2006073154.tif 000009
【図８】
2006073154.tif 000010